(57)【特許請求の範囲】
【請求項１】
周囲が側壁部で囲まれており錠剤を収容する収容部と、
前記側壁部に一端が接続された一対の排出部材と、を備え、
前記一対の排出部材は、向かい合った位置関係にあるときに、錠剤を保持する保持部を形成し、前記保持部に保持された錠剤が押し込まれると、各排出部材が前記側壁部への接続端を支点として側壁の内面方向に回動し、当該錠剤を収容部の外部に排出する
錠剤ケース。
【請求項２】
周囲が側壁部で囲まれており錠剤を収容する収容部と、
前記側壁部に一端が接続された一対のガイド部材と、
前記側壁部に一端が接続された一対の排出部材と、
前記錠剤を押し出す押出部材と、を備え、
前記一対のガイド部材の前記側壁部への接続端とは反対側の端には隙間があり、
前記一対の排出部材は、向かい合った位置関係にあるときに、錠剤を保持する保持部を形成し、前記保持部に保持された錠剤が押し込まれると、各排出部材が前記側壁部への接続端を支点として側壁の内面方向に回動し、前記錠剤を挟む位置関係となった後、前記排出部材の復元力により当該錠剤を収容部の外部に排出する
錠剤ケース。
【請求項３】
周囲が側壁部で囲まれており錠剤を収容する収容部と、
前記側壁部に一端が接続された一対のガイド部材と、
前記側壁部に一端が接続された一対の排出部材と、
前記錠剤を押し出す押出部材と、を備え、
前記一対のガイド部材の前記側壁部への接続端とは反対側の端には隙間があり、
前記一対の排出部材は、向かい合った位置関係にあるときに、錠剤を保持する保持部を形成し、前記保持部に保持された錠剤が押し込まれると、各排出部材が前記側壁部への接続端を支点として側壁の外に回動し、前記錠剤を挟む位置関係となった後、前記排出部材の復元力により当該錠剤を収容部の外部に排出する
錠剤ケース。
【請求項４】
周囲が側壁部で囲まれており錠剤を収容する収容部と、
前記側壁部に一端が接続された一対のガイド部材と、
前記ガイド部材に一端が接続された一対の排出部材と、
前記錠剤を押し出す押出部材と、を備え、
前記一対のガイド部材の前記側壁部への接続端とは反対側の端には隙間があり、
前記一対の排出部材は、向かい合った位置関係にあるときに、錠剤を保持する保持部を形成し、前記保持部に保持された錠剤が押し込まれると、各排出部材が前記ガイド部材への接続端を支点として開く方向に回動し、前記錠剤を挟む位置関係となった後、前記排出部材の復元力により当該錠剤を収容部の外部に排出する
錠剤ケース。
【請求項５】
前記一対の排出部材は、向かい合った位置関係にあるときに当接する当接部をそれぞれ備えており、当該当接部の当接により前記収容部を密閉空間とする
請求項１乃至請求項４のいずれか１項に記載の錠剤ケース。
【請求項６】
周囲が側壁部で囲まれており錠剤を収容する収容部と、
前記側壁部に一端が接続された一対のガイド部材と、
前記錠剤を押し出すもので、一対の可動部を備えた押出部材と、
前記押出部材の可動部が係止する係止部と、を備え、
前記一対のガイド部材の側壁部への接続端とは反対側の端には隙間あり、
前記押出部材の前記可動部は前記押出部材の押出動作により前記係止部に係止し、押出動作が進み前記可動部の先端の隙間が前記係止部の径を超えると、係止が解除され、前記可動部の復元力により前記錠剤を収容部の外部に排出する
錠剤ケース。
【発明の詳細な説明】
【技術分野】
【０００１】
本発明は、例えば、清涼菓子、医薬品、医薬部外品、及びサプリメント等の錠剤を収容し、１粒単位で片手の操作によって取り出すことができる錠剤ケースに関する。
【背景技術】
【０００２】
従来、清涼菓子などの粒状の錠剤は、錠剤ケースに収容され販売されている。錠剤ケースには種々の構成のものがあるが、上蓋をスライドさせて、開口部よりケース本体内部に収容された錠剤を取り出すタイプのものが主流となっている。
【０００３】
さらに、主貯留室、副貯留室、搬出手段、及び取出口を備え、搬出手段の押動により主貯留室から副貯留室へと送り込まれた粒状品を、取出口より所定数だけ取り出すタイプの収容ケースもある（例えば、特許文献１参照）。
【先行技術文献】
【特許文献】
【０００４】
【特許文献１】特開２０１１−４２３８０号公報
【発明の概要】
【発明が解決しようとする課題】
【０００５】
しかしながら、従来技術に係る錠剤ケースは、側面等に設けられた開口部から手のひらに錠剤を取り出すタイプであったことから、片手の操作によって簡易且つ迅速に錠剤を１粒単位で口の中に運ぶことはできなかった。
【０００６】
本発明は、このような課題に鑑みてなされたものであり、片手の操作によって簡易且つ迅速に錠剤を１粒単位で口の中に運ぶことを可能とし、未使用時には密閉状態を維持できる錠剤ケースを提供することを目的とする。
【課題を解決するための手段】
【０００７】
このような課題を解決するために、本発明の第１の態様に係る錠剤ケースは、周囲が側壁部で囲まれており錠剤を収容する収容部と、前記側壁部に一端が接続された一対の排出部材と、前記錠剤を押し出す押出部材と、を備え、前記一対の排出部材は、向かい合った位置関係にあるときに、錠剤を保持する保持部を形成し、前記保持部に保持された錠剤が押し込まれると、各排出部材が前記側壁部への接続端を支点として側壁の内面方向に回動し、当該錠剤を収容部の外部に排出する。
【０００８】
本発明の第２の態様に係る錠剤ケースは、周囲が側壁部で囲まれており錠剤を収容する収容部と、前記側壁部に一端が接続された一対のガイド部材と、前記側壁部に一端が接続された一対の排出部材と、前記錠剤を押し出す押出部材と、を備え、前記一対のガイド部材の前記側壁部への接続端とは反対側の端には隙間があり、前記一対の排出部材は、向かい合った位置関係にあるときに、錠剤を保持する保持部を形成し、前記保持部に保持された錠剤が押し込まれると、各排出部材が前記側壁部への接続端を支点として側壁の内面方向に回動し、前記錠剤を挟む位置関係となった後、前記排出部材の復元力により当該錠剤を収容部の外部に排出する。
【０００９】
本発明の第３の態様に係る錠剤ケースは、周囲が側壁部で囲まれており錠剤を収容する収容部と、前記側壁部に一端が接続された一対のガイド部材と、前記側壁部に一端が接続された一対の排出部材と、前記錠剤を押し出す押出部材と、を備え、前記一対のガイド部材の前記側壁部への接続端とは反対側の端には隙間があり、前記一対の排出部材は、向かい合った位置関係にあるときに、錠剤を保持する保持部を形成し、前記保持部に保持された錠剤が押し込まれると、各排出部材が前記側壁部への接続端を支点として側壁の外に回動し、前記錠剤を挟む位置関係となった後、前記排出部材の復元力により当該錠剤を収容部の外部に排出する。
【００１０】
そして、本発明の第４の態様に係る錠剤ケースは、周囲が側壁部で囲まれており錠剤を収容する収容部と、前記側壁部に一端が接続された一対のガイド部材と、前記ガイド部材に一端が接続された一対の排出部材と、前記錠剤を押し出す押出部材と、を備え、前記一対のガイド部材の前記側壁部への接続端とは反対側の端には隙間があり、前記一対の排出部材は、向かい合った位置関係にあるときに、錠剤を保持する保持部を形成し、前記保持部に保持された錠剤が押し込まれると、各排出部材が前記ガイド部材への接続端を支点として開く方向に回動し、前記錠剤を挟む位置関係となった後、前記排出部材の復元力により当該錠剤を収容部の外部に排出する。
【００１１】
さらに、本発明の第５の態様に係る錠剤ケースは、周囲が側壁部で囲まれており錠剤を収容する収容部と、前記側壁部に一端が接続された一対のガイド部材と、前記錠剤を押し出すもので、一対の可動部を備えた押出部材と、前記押出部材の可動部が係止する係止部と、を備え、前記一対のガイド部材の側壁部への接続端とは反対側の端には隙間あり、前記押出部材の前記可動部は前記押出部材の押出動作により前記係止部に係止し、押出動作が進み前記可動部の先端の隙間が前記係止部の径を超えると、係止が解除され、前記可動部の復元力により前記錠剤を収容部の外部に排出する。
【発明の効果】
【００１２】
本発明によれば、片手の操作によって簡易且つ迅速に錠剤を１粒単位で口の中に運ぶことを可能とし、未使用時には密閉状態を維持できる錠剤ケースを提供することができる。
【図面の簡単な説明】
【００１３】
【図１】（ａ）乃至（ｄ）は、本発明の第１実施形態に係る錠剤ケースの構成を示す図である。
【図２】（ａ）乃至（ｄ）は、本発明の第１実施形態に係る錠剤ケースより錠剤を取りだす様子を示す斜視図である。
【図３】（ａ）及び（ｂ）は、本発明の第１実施形態に係る錠剤ケースの使用方法を説明する図である。
【図４】（ａ）乃至（ｆ）は、本発明の第１実施形態に係る錠剤ケースの使用方法を説明する図である。
【図５】（ａ）乃至（ｄ）は、本発明の第２実施形態に係る錠剤ケースの構成を示す図である。
【図６】（ａ）乃至（ｄ）は、本発明の第２実施形態に係る錠剤ケースより錠剤を取りだす様子を示す斜視図である。
【図７】（ａ）乃至（ｄ）は、本発明の第３実施形態に係る錠剤ケースの構成を示す図である。
【図８】（ａ）乃至（ｄ）は、本発明の第３実施形態に係る錠剤ケースより錠剤を取りだす様子を示す斜視図である。
【図９】（ａ）乃至（ｄ）は、本発明の第４実施形態に係る錠剤ケースの構成を示す図である。
【図１０】（ａ）乃至（ｄ）は、本発明の第４実施形態に係る錠剤ケースより錠剤を取りだす様子を示す斜視図である。
【発明を実施するための形態】
【００１４】
以下、図面を参照しつつ本発明の実施形態について説明する。
【００１５】
＜第１実施形態＞
図１（ａ）乃至図１（ｄ）には、本発明の第１実施形態に係る錠剤ケースの構成を平面図で示し、図２（ａ）乃至図２（ｄ）には、錠剤ケースを斜視図で示し、説明する。これらの図では、説明の便宜上、一部では内部構造が分かるように図示している。
【００１６】
これらの図に示されるように、錠剤ケース１は、正方形で四隅が円弧状となっている底面部２を備えている。底面部２の周縁には当該底面部２の平面に垂直な方向に側壁部３が立設されている。側壁部３には、１つの角部において錠剤を排出するために所定長だけ開かれた隙間３ａが設けられている。一対のガイド部材４ａ，４ｂは、側壁部３に各一端が接続されており、ガイド部材４ａ，４ｂの側壁部３への接続端とは反対側の端は、錠剤が通過できる程度の隙間４ｃが形成されている。そして、これら底面部２、側壁部３、ガイド部材４ａ，４ｂ、及び上面部９により、複数の錠剤を収容するための収容部８が形成されている。上面部９には、操作部１０が設けられている。操作部１０は、スライド部材１１を備え、スライド部材１１は内部の押出部材１２と連動する。
【００１７】
錠剤ケース１は、更に一対の排出部材６，７を備えている。排出部材６は、その一端を接続端６ｃとして側壁部３に接続されている。排出部材６は、排出部材７と対向したときに当該排出部材７と当接する当接部６ｂと、１粒の錠剤を保持する保持部６ａとを有している。排出部材７は、その一端を接続端７ｃとして側壁部３に接続されている。排出部材７は、排出部材６と対向したときに当該排出部材６と当接する当接部７ｂと、１粒の錠剤を保持する保持部７ａとを有している。規制部材６，７の当接部６ｂ，７ｂが当接した状態では、保持部６ａ，７ａが連続した円弧状の周面を形成し、ガイド部材４ａ，４ｂの隙間４ｃを通過した錠剤を保持可能となる。
【００１８】
つまり、一対の排出部材６，７は、向かい合った位置関係にあるとき、保持部６ａ，７ａが錠剤を保持するよう構成されている。さらに、排出部材６，７は、押出部材１２により保持部６ａ，７ａに保持されている錠剤が押し込まれると、側壁部３への接続端６ｃ，７ｃを支点として側壁部３の内面方向に回動し、錠剤を挟む位置関係となった後、復元力により、当該錠剤を収容部８の外部に排出するように構成されている。
【００１９】
このような構成において、収容部８には複数の錠剤が収容されており、図３（ａ）に示されるように、錠剤ケース１を手にもって、排出口となる隙間３ａを下方に向けて錠剤ケース１を傾けると、ガイド部材４ａ，４ｂの間の隙間４ｃに、１粒の錠剤１００が入り込み、排出部材６，７の保持部６ａ，７ａに収まる（図１（ａ）、図２（ａ）参照）。
【００２０】
この状態で、操作部１０のスライド部材１１を排出口となる隙間３ａの方に向けてスライドさせると、スライド部材１１と連動する内部の押出部材１２の先端の凹み部１２ａが保持部６ａ，７ａに収められた錠剤１００に当接する（図１（ｂ）、図２（ｂ）参照）。
【００２１】
続いて、図３（ｂ）に示されるように、錠剤ケース１の排出口となる隙間３ａを口の方に向けて、操作部１０のスライド部材１１を更に排出口となる隙間３ａの方に向けてスライドさせると、スライド部材１１と連動する内部の押出部材１２の先端の凹み部１２ａに当接した錠剤１００が、保持部６ａ，７ａの間に押し込まれる。これにより、一対の排出部材６，７の当接部６ｂ，７ｂの当接が解除されることになる。より詳細には、排出部材６は接続端６ｃを支点として側壁部３の内面に向けて回動し、排出部材７は接続端７ｃを支点として側壁部３の内面に向けて回動し、当接部６ｂ，７ｂにより錠剤１００を挟持した状態となる（図１（ｃ）、図２（ｃ）参照）。
【００２２】
こうして、スライド部材１１を、排出口となる隙間３ａの方に向けて、更にスライドさせると、当接部６ｂ，７ｂにより挟持されていた錠剤１００が、排出部材６，７の接続端６ｃ，７ｃを支点とした復元力により押し出され、排出口となる隙間３ａの間から飛び出し、ユーザの口の中に飛び込む（図１（ｄ）、図２（ｄ）参照）。
【００２３】
図４（ａ）乃至図４（ｆ）は、操作部１０のスライド部材１１の操作に連動して内部の押出部材１２が錠剤を押し出す過程を更に詳細に示している。即ち、図４（ａ）に示されるように、スライド部材１１の操作前の状態では、図４（ｄ）に示されるように、押出部材１２は未だ錠剤を押し出す状態にはなっていない。図４（ｂ）に示されるように、スライド部材１１の操作を開始すると、図４（ｅ）に示されるように、押出部材１２の先端の凹み部１２ａが保持部６ａ，７ａに収められた錠剤に当接する。そして、図４（ｃ）に示されるように、スライド部材１１を最大域までスライドさせると、保持部６ａ，７ａで保持されていた錠剤を押出部材１２が外部に排出することになる。
【００２４】
以上説明したように、本発明の第１実施形態に係る錠剤ケース１は、周囲が側壁部３で囲まれており錠剤を収容する収容部８と、側壁部３に一端が接続された一対のガイド部材４ａ，４ｂと、側壁部３に一端が接続された一対の排出部材６，７と、錠剤を押し出す押出部材１２とを備える。そして、一対のガイド部材４ａ，４ｂの側壁部３への接続端とは反対側の端には隙間４ｃがある。一対の排出部材６，７は、向かい合った位置関係にあるときに、錠剤を保持する保持部６ａ，７ａを形成する。保持部６ａ，７ａに保持された錠剤が押し込まれると、各排出部材６，７が側壁部３への接続端６ｃ，７ｃを支点として側壁部３の内面方向に回動し、錠剤を挟む位置関係となった後、排出部材６，７の復元力により当該錠剤を収容部８の外部に排出する。
【００２５】
従って、片手の操作により１錠単位で直接的に錠剤を口の中に入れることが可能となるので、片手が塞がった作業状態でも、簡易に使用することができる。さらに、一対の排出部材６，７は、向かい合った位置関係にあるときに当接する当接部６ｂ、７ｂをそれぞれ備えており、当該当接部６ｂ、７ｂの当接により収容部８を密閉空間とすることができるので、衛生面も良好である。
【００２６】
＜第２実施形態＞
図５（ａ）乃至図５（ｄ）には、本発明の第２実施形態に係る錠剤ケースの構成を平面図で示し、図６（ａ）乃至図６（ｄ）には、錠剤ケースを斜視図で示し、説明する。
【００２７】
これらの図に示されるように、錠剤ケース２１は、正方形で四隅が円弧状となっている底面部２２を備えており、当該底面部２２の周縁には当該底面部２２の平面に垂直な方向に側壁部２３が立設されている。側壁部２３には、１つの角部において錠剤を排出するために所定長だけ開かれた隙間２３ａが設けられている。一対のガイド部材２４ａ，２４ｂは、側壁部２３に各一端が接続されており、ガイド部材２４ａ，２４ｂの側壁部２３への接続端とは反対側の端は、錠剤が通過できる程度の隙間２４ｃが形成されている。これら底面部２２、側壁部２３、ガイド部材２４ａ，２４ｂ、及び上面部２９により、複数の錠剤を収容するための収容部２８が形成される。上面部２９には、操作部３０が設けられている。この操作部３０はスライド部材３１を備え、スライド部材３１は内部の押出部材３２と連動する。
【００２８】
錠剤ケース２１は、一対の排出部材２６，２７を備えている。排出部材２６は、その一端を接続端２６ｃとして側壁部２３に接続されている。排出部材２６は、排出部材２７と対向したときに当該排出部材２７と当接する当接部２６ｂと、１粒の錠剤を保持する保持部２６ａとを有する。排出部材２７は、その一端を接続端２７ｃとして側壁部２３に接続されている。排出部材２７は、排出部材２６と対向したときに当該排出部材２６と当接する当接部２７ｂと、１粒の錠剤を保持する保持部２７ａとを有する。
【００２９】
規制部材２６，２７の当接部２６ｂ，２７ｂが当接した状態では、保持部２６ａ，２７ａが、錠剤が挿入される空間を生み出し、ガイド部材４ａ，４ｂの隙間４ｃを通過した錠剤を保持可能とする。
【００３０】
つまり、一対の排出部材２６，２７は、向かい合った位置関係にあるときに、保持部２６ａ，２７ａが錠剤を保持するように構成されている。更に、排出部材２６，２７は、保持部２６ａ，２７ａに保持された錠剤１００が押出部材３２により押し込まれると、側壁部２３への接続端２６ｃ、２７ｃを支点として側壁２３の外に向けて回動し、錠剤１００を挟む位置関係となった後、復元力により当該錠剤１００を収容部２８の外部に排出するように構成されている。
【００３１】
このような構成において、収容部２８には複数の錠剤が収容されており、図３（ａ）に示されるように、錠剤ケース２１を片手で持って排出口となる隙間２３ａを下方に向けて錠剤ケース２１を傾けると、ガイド部材２４ａ，２４ｂの間の隙間２４ｃより１粒の錠剤１００が入り込み、排出部材２６，２７の保持部２６ａ，２７ａに収まる（図５（ａ）、図６（ａ）参照）。
【００３２】
このような状態で、操作部３０のスライド部材３１を排出口となる隙間２３ａの方に向けてスライドさせると、スライド部材３１と連動する内部の押出部材３２の先端の凹み部３２ａが保持部２６ａ，２７ａに保持されている錠剤１００に当接する（図５（ｂ）、図６（ｂ）参照）。
【００３３】
続いて、図３（ｂ）に示されるように、錠剤ケース２１の排出口となる隙間２３ａを口の方に向けて、操作部３０のスライド部材３１を更に排出口となる隙間２３ａの方に向けてスライドさせると、スライド部材３１と連動する内部の押出部材３２の先端の凹み部３２ａに当接した錠剤１００が、保持部２６ａ，２７ａの間に押し込まれる。これにより排出部材２６，２７の当接部２６ｂ，２７ｂの当接は解除される。より詳細には、排出部材２６は接続端２６ｃを支点として側壁部３の外側に向けて回動し、排出部材２７は接続端２７ｃを支点として側壁部２３の外側に向けて回動し、保持部２６ａ，２７ａにより錠剤１００を挟持した状態となる（図５（ｃ）、図６（ｃ）参照）。
【００３４】
こうして、スライド部材３１を排出口となる隙間２３ａの方に向けて更にスライドさせると、保持部２６ａ，２７ａにより挟持されていた錠剤１００が、排出部材２６，２７の接続端２６ｃ，２７ｃを支点とした復元力により押し出され、排出口となる隙間２３ａの間から飛び出し、ユーザの口の中に飛び込む（図５（ｄ）、図６（ｄ）参照）。
【００３５】
以上説明したように、本発明の第２実施形態に係る錠剤ケース２１は、周囲が側壁部２３で囲まれており錠剤を収容する収容部２８と、側壁部２３に一端が接続された一対のガイド部材２４ａ，２４ｂと、側壁部２３に一端が接続された一対の排出部材２６，２７と、錠剤を押し出す押出部材３２とを備えている。一対のガイド部材２４ａ，２４ｂの側壁部２３への接続端とは反対側の端には隙間２４ｃがある。一対の排出部材２６，２７は、向かい合った位置関係にあるときに、錠剤を保持する保持部２６ａ，２７ａを形成する。保持部２６ａ，２７ａに保持された錠剤が押し込まれると、各排出部材２６，２７が側壁部２３への接続端２６ｃ，２７ｃを支点として側壁２３の外に回動し、前記錠剤を挟む位置関係となった後、排出部材２６，２７の復元力により当該錠剤を収容部２８の外部に排出する。
【００３６】
従って、片手の操作により１錠単位で直接的に錠剤を口の中に入れることが可能となるので、片手が塞がった作業状態でも、簡易に使用することができる。さらに、一対の排出部材２６，２７は、向かい合った位置関係にあるときに当接する当接部２６ｂ、２７ｂをそれぞれ備えており、当該当接部２６ｂ、２７ｂの当接により収容部８を密閉空間とすることができるので、衛生面も良好である。
【００３７】
＜第３実施形態＞
図７（ａ）乃至図７（ｄ）には、本発明の第１実施形態に係る錠剤ケースの構成を平面図で示し、図８（ａ）乃至図８（ｄ）には、錠剤ケースを斜視図で示し、説明する。
【００３８】
これらの図に示されるように、錠剤ケース４１は、正方形で四隅が円弧状となっている底面部４２を備えており、当該底面部４２の周縁には当該底面部４２の平面に垂直な方向に側壁部４３が立設されている。側壁部４３には、１つの角部において錠剤を排出するために所定長だけ開かれた隙間４３ａが設けられている。一対のガイド部材４４ａ，４４ｂは、側壁部４３に各一端が接続されており、ガイド部材４４ａ，４４ｂの側壁部３への接続端とは反対側の端は、錠剤が通過できる程度の隙間４４ｃが形成されている。これら底面部４２、側壁部４３、ガイド部材４４ａ，４４ｂ、及び上面部４９により、複数の錠剤を収容するための収容部４８が形成されている。上面部４９には、操作部５０が設けられている。この操作部５０はスライド部材５１を備え、スライド部材５１は内部の押出部材５２と連動する。
【００３９】
錠剤ケース４１は、更に一対の排出部材４６，４７を備えている。排出部材４６は、その一端を接続端４６ｃとしてガイド部材４４ａに接続されている。排出部材４６は、排出部材４７と対向したときに当該排出部材４７と当接する当接部４６ｂと、１粒の錠剤を保持する保持部４６ａとを有している。排出部材４７は、その一端を接続端４７ｃとしてガイド部材４４ｂに接続されている。排出部材４７は、排出部材４６と対向したときに当該排出部材４６と当接する当接部４７ｂと、１粒の錠剤を保持する保持部４７ａとを有している。したがって、規制部材４６，４７の当接部４６ｂ，４７ｂが当接した状態では、保持部４６ａ，４７ａが錠剤を収容する空間を生み、ガイド部材４４ａ，４４ｂの隙間４４ｃを通過した錠剤を保持可能とする。
【００４０】
つまり、一対の排出部材４６，４７は、向かい合った位置関係にあるときに、保持部４６ａ，４７ａが錠剤１００を保持するように構成されている。そして、排出部材４６，４７は、保持部４６ａ，４７ａに保持された錠剤１００が押し込まれると、ガイド部材４４ａ，４４ｂへの接続端４６ｃ，４７ｃを支点として開く方向に回動して、錠剤１００を挟む位置関係となった後、復元力により、当該錠剤を収容部４８の外部に排出するように構成されている。
【００４１】
このような構成において、収容部４８には複数の錠剤が収容されており、図３（ａ）に示されるように、錠剤ケース４１を片手で持って、排出口となる隙間４３ａを下方に向けて錠剤ケース１を傾けると、ガイド部材４４ａ，４４ｂの間の隙間４４ｃに、１粒の錠剤１００が入り込み、排出部材４６，４７の保持部４６ａ，４７ａにより保持される（図７（ａ）、図８（ａ）参照）。
【００４２】
この状態で、操作部５０のスライド部材５１を排出口となる隙間３ａの方に向けてスライドさせると、スライド部材５１と連動する内部の押出部材５２の先端の凹み部５２ａが保持部４６ａ，４７ａに保持された錠剤１００に当接する（図７（ｂ）、図８（ｂ）参照）。
【００４３】
続いて、図３（ｂ）に示されるように、錠剤ケース５１の排出口となる隙間４３ａを口の方に向けて、操作部５０のスライド部材５１を更に排出口となる隙間４３ａの方に向けてスライドさせると、スライド部材５１と連動する内部の押出部材５２の先端の凹み部５２ａに当接した錠剤１００が、保持部４６ａ，４７ａの間に押し込まれる。これにより排出部材４６，４７の当接部４６ｂ，４７ｂの当接は解除される。より詳細には、排出部材４６は接続端４６ｃを支点として側壁部３の内面に向けて回動し、排出部材４７は接続端４７ｃを支点として側壁部３の内面に向けて回動し、当接部４６ｂ，４７ｂにより錠剤１００を挟持した状態となる（図７（ｃ）、図８（ｃ）参照）。
【００４４】
こうして、スライド部材５１を排出口となる隙間４３ａの方に向けて更にスライドさせると、当接部４６ｂ，４７ｂにより挟持されていた錠剤１００が、排出部材４６，４７の接続端４６ｃ，４７ｃを支点とした復元力により押し出され、排出口となる隙間４３ａの間から飛び出し、ユーザの口の中に飛び込む（図７（ｄ）、図８（ｄ）参照）。
【００４５】
以上説明したように、本発明の第３実施形態に係る錠剤ケース４１は、周囲が側壁部４３で囲まれており錠剤を収容する収容部４８と、側壁部４３に一端が接続された一対のガイド部材４４ａ，４４ｂと、ガイド部材４４ａ，４４ｂに一端が接続された一対の排出部材４６，４７と、錠剤を押し出す押出部材５２とを備えている。そして、一対のガイド部材４４ａ，４４ｂの側壁部４３への接続端とは反対側の端には隙間４４ｃがある。一対の排出部材４６，４７は、向かい合った位置関係にあるときに、錠剤を保持する保持部４６ａ，４７ａを形成し、保持部４６ａ，４７ａに保持された錠剤が押し込まれると、各排出部材４６，４７がガイド部材４４ａ，４４ｂへの接続端４６ｃ，４７ｃを支点として開く方向に回動し、錠剤を挟む位置関係となった後、排出部材４６，４７の復元力により当該錠剤を収容部４８の外部に排出する。
【００４６】
従って、片手の操作により１錠単位で直接的に錠剤を口の中に入れることが可能となるので、片手が塞がった作業状態でも、簡易に使用することができる。さらに、一対の排出部材４６，４７は、向かい合った位置関係にあるときに当接する当接部４６ｂ、４７ｂをそれぞれ備えており、当該当接部４６ｂ、４７ｂの当接により収容部８を密閉空間とすることができるので、衛生面も良好である。
【００４７】
＜第４実施形態＞
図９（ａ）乃至図９（ｄ）には、本発明の第４実施形態に係る錠剤ケースの構成を平面図で示し、図１０（ａ）乃至図１０（ｄ）には、錠剤ケースを斜視図で示し、説明する。
【００４８】
これらの図に示されるように、錠剤ケース６１は、正方形で四隅が円弧状となっている底面部６２を備えており、当該底面部６２の周縁には当該底面部６２の平面に垂直な方向に側壁部６３が立設されている。側壁部６３には、１つの角部において錠剤を排出するために所定長だけ開かれた隙間６６が設けられている。ガイド部材６４ａ，６４ｂは、側壁部６３に各一端が接続されており、側壁部６３への接続端とは反対側の端はガイド部材６５ａ，６５ｂにそれぞれ接続されている。これら底面部６２、側壁部６３、ガイド部材６４ａ，６４ｂ、及び付図示の上面部により、複数の錠剤を収容するための収容部６８が形成されている。上面部には操作部７０が設けられており、操作部７０はスライド部材７１のスライドにより押出部材６７を駆動できるようになっている。
【００４９】
押出部材６７の先端には２本の可動部７２，７３が設けられており、可動部７２は屈曲部７２ａを中心に内側方向に屈曲可能となっており、可動部７３は屈曲部７３ｂを中心に内側方向に屈曲可能となっている。通常の状態では、可動部７２，７３は押出部材６７の長手方向の中心線に向けて傾斜しており、それぞれの先端は隙間を有するものの、近傍となる位置関係にある。押出部材６７の進行方向には、押出部材６７の長手方向の中心線上となる位置に所定の径の円柱状に立設した係止部７４が設けられている。押出部材６７が隙間６６の方に向けて押し出されると、可動部７２，７３の先端が係止部７４に係止されて、押出動作に伴って、内側に屈曲する。そして、屈曲の過程で、可動部７２，７３の先端の隙間が係止部７４の径を超えると、係止が解除され、可動部７２，７３は、屈曲部７２ａ，７３ａを中心とした復元力により通常の状態となるように可動する。この可動により、可動部７２，７３に当接していた錠剤が隙間６６の方向へと押し出され、錠剤ケース６１の外部へと排出される。
【００５０】
このような構成において、収容部６８には複数の錠剤が収容されており、図３（ａ）に示されるように、錠剤ケース６１を片手で持って、排出口となる隙間６６を下方に向けて錠剤ケース７１を傾けると、ガイド部材６４ａ，６４ｂの間の隙間６６に、１粒の錠剤１００が入り込み、保持される（図９（ａ）、図１０（ａ）参照）。
【００５１】
この状態で、操作部のスライド部材を排出口となる隙間６６の方に向けてスライドさせると、スライド部材と連動する内部の押出部材６７の先端の可動部７２，７３が係止部７４に係止し、可動部７２，７３が屈曲部７２ａ，７３ａを中心に内側へと屈曲する（図９（ｂ）、図１０（ｂ）参照）。
【００５２】
続いて、図３（ｂ）に示されるように、錠剤ケース６１の排出口となる隙間６６を口の方に向けて、操作部７０のスライド部材７１を更に排出口となる隙間６６の方に向けてスライドさせると、スライド部材７１と連動する内部の押出部材６７の先端の可動部７２，７３の隙間が係止部７４の径を越えて、可動部７２，７３の係止が解除され、可動部７２，７３が屈曲部７２ａ，７３ａを中心として可動し、通常の状態に戻るよう可動する（図９（ｃ）、図１０（ｃ）参照）。
【００５３】
この可動力により、錠剤１００は、錠剤ケース６１の外部へと排出される。つまり、可動部７２，７３の復元力により押し出され、排出口となる隙間６６の間から飛び出し、ユーザの口の中に飛び込む（図９（ｄ）、図１０（ｄ）参照）。
【００５４】
以上説明したように、本発明の第４実施形態に係る錠剤ケース６１は、周囲が側壁部６３で囲まれており錠剤を収容する収容部６８と、側壁部６３に一端が接続された一対のガイド部材６４ａ，６４ｂと、錠剤を押し出す押出部材６７とを備えている。そして、一対のガイド部材６４ａ，６４ｂの側壁部６３への接続端とは反対側の端には隙間６６が設けられている。そして、押出部材６７の先端には一対の可動部７２，７３があり、当該可動部７２，７３は押出部材６７の押出動作に連動して係止部７４に係止し、押出動作が進み可動部７２，７３の先端の隙間が係止部７４の径を超えると、係止が解除され、可動部７２，７３の復元力により当該錠剤を収容部６８の外部に排出する。
【００５５】
従って、片手の操作により１錠単位で直接的に錠剤を口の中に入れることが可能となるので、片手が塞がった作業状態でも、簡易に使用することができる。
【００５６】
以上、本発明の第１乃至第４実施形態について説明したが、本発明はこれに限定されることなくその趣旨を逸脱しない範囲で種々の改良・変更が可能であることは勿論である。
【００５７】
例えば、操作部１０のスライド部材１１はバネなどの弾性部材により図４（ａ）に示されるような状態となるように付勢されていて、図４（ｃ）に示されるように最大域までスライドさせた後、指を放すと、弾性部材の付勢力により、図４（ａ）に示されるような状態に戻るように構成してもよいことは勿論である。
【符号の説明】
【００５８】
１  錠剤ケース
３  側壁部
４ａ，４ｂ  ガイド部材
６，７  排出部材
６ａ，７ａ  保持部
８  収容部
１２  押出部材
２１  錠剤ケース
２３  側壁部
２４ａ，２４ｂ  ガイド部材
２６，２７  排出部材
２６ａ，２７ａ  保持部
２８  収容部
３２  押出部材
４１  錠剤ケース
４３  側壁部
４４ａ，４４ｂ  ガイド部材
４６，４７  排出部材
４６ａ，４７ａ  保持部
４８  収容部
５２  押出部材
６１  錠剤ケース
６２  底面部
６３  側壁部
６４ａ，６４ｂ  ガイド部材
６５ａ，６５ｂ  ガイド部材
６６  隙間
６７  押出部材
６８  収容部
７０  操作部
７１  スライド部材
７２，７３  可動部
７４  係止部
【要約】
【課題】片手の操作で簡易且つ迅速に錠剤を１粒単位で取り出し、直接に口の中に運ぶことが可能な錠剤ケースを提供する。
【解決手段】本発明の錠剤ケース１は、周囲が側壁部３で囲まれており錠剤を収容する収容部８と、側壁部３に一端が接続された一対の排出部材６，７と、を備え、一対の排出部材６，７は、向かい合った位置関係にあるときに、錠剤を保持する保持部６ａ，７ａを形成し、保持部６ａ，７ａに保持された錠剤が押し込まれると、各排出部材６，７が側壁部３への接続端６ｃ，７ｃを支点として側壁３の内面方向に回動し、当該錠剤を収容部８の外部に排出するものである。
【選択図】図１【図１】
0005877290.tif 000002
【図２】
0005877290.tif 000003
【図３】
0005877290.tif 000004
【図４】
0005877290.tif 000005
【図５】
0005877290.tif 000006
【図６】
0005877290.tif 000007
【図７】
0005877290.tif 000008
【図８】
0005877290.tif 000009
【図９】
0005877290.tif 000010
【図１０】
0005877290.tif 000011